(57)【要約】【課題】プラント監視装置の使用者がプラントの状態の表示に関する設定を操作することが可能なプラント監視装置およびプラント監視方法を提供する。【解決手段】実施形態のプラント監視装置は、プラントの状態を表示し、前記プラントの運転を操作するための操作表示部と、前記プラントの状態の時間変動に関する情報であるトレンド情報を格納するためのトレンド情報テーブルと、前記プラントの状態の告知条件および告知内容に関する情報であり、前記操作表示部から入力される告知情報を設定するための告知情報設定テーブルと、前記トレンド情報テーブル内の前記トレンド情報と、前記告知情報設定テーブル内の前記告知条件とを比較し、前記告知条件の成立の有無を判定する判定部と、前記告知条件が成立していると判定された場合に、前記告知内容を前記操作表示部に表示する告知部と、を備える。【選択図】図１
2015125581.tif 000002
【特許請求の範囲】
【請求項１】
プラントの状態を表示し、前記プラントの運転を操作するための操作表示部と、
前記プラントの状態の時間変動に関する情報であるトレンド情報を格納するためのトレンド情報テーブルと、
前記プラントの状態の告知条件および告知内容に関する情報であり、前記操作表示部から入力される告知情報を設定するための告知情報設定テーブルと、
前記トレンド情報テーブル内の前記トレンド情報と、前記告知情報設定テーブル内の前記告知条件とを比較し、前記告知条件の成立の有無を判定する判定部と、
前記告知条件が成立していると判定された場合に、前記告知内容を前記操作表示部に表示する告知部と、
を備えるプラント監視装置。
【請求項２】
前記告知情報設定テーブルは、前記告知条件として、前記プラントの状態に関する測定値の測定ポイント、前記測定値と比較するための設定値、および、前記測定値と前記設定値とを比較するための比較条件の少なくともいずれかを設定可能である、請求項１に記載のプラント監視装置。
【請求項３】
前記告知情報設定テーブルは、前記告知内容として、前記操作表示部に表示するための告知メッセージの内容を設定可能である、請求項１または２に記載のプラント監視装置。
【請求項４】
前記プラントの状態の履歴に関する情報である履歴情報を格納するための履歴情報テーブルを備え、
前記告知情報設定テーブルは、前記判定部の判定結果に関する履歴の書き込みの可否を設定することが可能であり、
前記履歴の書き込みが可に設定されている場合に、前記判定部の判定結果に関する履歴を前記履歴情報テーブルに書き込む書込部を備える、
請求項１から３のいずれか１項に記載のプラント監視装置。
【請求項５】
前記プラントからプラント制御装置を介して取得された情報であるプラント情報を格納するためのプラント情報テーブルを備え、
前記プラント情報テーブルは、前記プラント制御装置が前記プラント監視装置に前記プラント情報を通知する通知条件の情報を格納可能であり、
前記プラント情報テーブルに格納された前記通知条件と、前記告知情報設定テーブルに設定予定の前記告知条件とを比較する比較部を備え、
前記比較部は、
設定予定の前記告知条件と同一の前記通知条件が前記プラント情報テーブルに格納されていない場合には、設定予定の前記告知条件を前記告知情報設定テーブルに設定し、
設定予定の前記告知条件と同一の前記通知条件が前記プラント情報テーブルに格納されている場合には、設定予定の前記告知条件を前記告知情報設定テーブルに設定しない、
請求項１から４のいずれか１項に記載のプラント監視装置。
【請求項６】
前記比較部は、
設定予定の前記告知条件と同一の前記通知条件が前記プラント情報テーブルに格納されている場合には、設定予定の前記告知条件と同一の前記通知条件が存在することを前記操作表示部に表示する、
請求項５に記載のプラント監視装置。
【請求項７】
プラントの状態を表示し、前記プラントの運転を操作するための操作表示部と、前記プラントの状態の時間変動に関する情報であるトレンド情報を格納するためのトレンド情報テーブルと、前記プラントの状態の告知条件および告知内容に関する情報であり、前記操作表示部から入力される告知情報を設定するための告知情報設定テーブルと、を備えるプラント監視装置を用意し、
前記プラント監視装置が、前記トレンド情報テーブル内の前記トレンド情報と、前記告知情報設定テーブル内の前記告知条件とを比較し、前記告知条件の成立の有無を判定し、
前記プラント監視装置が、前記告知条件が成立していると判定された場合に、前記告知内容を前記操作表示部に表示する、
ことを含むプラント監視方法。
【発明の詳細な説明】
【技術分野】
【０００１】
本発明の実施形態は、プラント監視装置およびプラント監視方法に関する。
【背景技術】
【０００２】
現在、原子力プラントや産業用プラントの運転制御は、コンピュータを用いたプラント運転制御システムにより行われている。プラント運転制御システムは、プラントの運転の制御、例えば、プラント内の機器の状態（例えばバルブの開度やポンプの回転数）の制御や、プラント内のプロセス値（例えば作動流体の圧力や流量）の制御を制御装置により行い、プラントの運転状況の監視を監視装置により集中的に行う。また、大規模プラントの運転制御は、図６に示すように、大規模プラントのプラント部分ごと、例えば、大規模プラントの運転系統ごとに、分散処理により制御されることが多い。
【０００３】
図６は、一般的なプラント運転制御システムの構成を示す概略図である。
【０００４】
図６のプラント運転制御システムは、複数の監視装置（プラント監視装置）１ａ、１ｂと、複数の制御装置（プラント制御装置）２ａ〜２ｄと、複数のプラント３ａ〜３ｄと、複数の監視装置１および複数の制御装置２を互いに接続する制御ＬＡＮ（Local Area Network）４とを備えている。プラント３ａ〜３ｄは、正確には同一プラント内の異なるプラント部分を指すが、ここでは単にプラントと略記する。
【０００５】
図６に示すように、監視装置１ａは制御装置２ａ、２ｂと対応しており、監視装置１ｂは制御装置２ｃ、２ｄと対応している。また、制御装置２ａ〜２ｄはそれぞれ、プラント３ａ〜３ｄと対応している。よって、監視装置１ａは、制御装置２ａを介してプラント３ａを監視し、制御装置２ｂを介してプラント３ｂを監視する。また、監視装置１ｂは、制御装置２ｃを介してプラント３ｃを監視し、制御装置２ｄを介してプラント３ｄを監視する。以下、監視装置１ａ〜１ｂの各々、制御装置２ａ〜２ｄの各々、プラント３ａ〜３ｄの各々をそれぞれ、監視装置１、制御装置２、プラント３と表記する。
【０００６】
監視装置１は、制御装置２を介してプラント３の運転状況を監視すると共に、制御装置２を介してプラント３の運転を操作する。制御装置２は、プラント３の運転を制御すると共に、プラント３の運転状況に関する情報を収集する。
【０００７】
監視装置１は、操作表示部１１と、トレンド処理部１２と、履歴処理部１３と、伝送部１４と、操作表示制御部１５と、プラント情報テーブル１０１と、トレンド情報テーブル１０２と、履歴情報テーブル１０３とを備えている。制御装置２は、入出力部２１と、制御部２２と、伝送部２３とを備えている。
【０００８】
プラント情報テーブル１０１は、プラント３から制御装置２を介して取得された情報であるプラント情報を格納するために使用される。プラント情報の例は、プラント３内のバルブの開度、プラント３内のポンプの回転数、プラント３内の作動流体の圧力や流量などである。また、プラント情報テーブル１０１は、制御装置２が監視装置１にプラント情報を通知する通知条件の情報を格納することが可能である。通知条件は、例えば「プラント３内のタンクの水位が１５００ｍｍに達したら、そのことを監視装置１に通知する」のように規定されている。プラント情報や通知条件の情報は、制御装置２から伝送部１４を介して監視装置１に伝送され、プラント情報テーブル１０１内に格納される。また、操作表示部１１から入力されたプラント３の操作指令は、操作表示制御部１５および伝送部１４を介して制御装置２に伝送される。
【０００９】
トレンド情報テーブル１０２は、プラント３の状態の時間変動に関する情報であるトレンド情報を格納するために使用される。トレンド情報の例は、作動流体の圧力や流量の推移を示す情報などである。トレンド処理部１２は、プロセス情報を利用してトレンド情報を作成し、トレンド情報テーブル１０２内に格納することができる。トレンド処理部１２は例えば、プラント３の運転員が設定した一定周期でプロセス値を収集し、プロセス値の変位の推移をトレンド情報としてトレンド情報テーブル１０２内に格納する。
【００１０】
履歴情報テーブル１０３は、プラント３の状態の履歴に関する情報である履歴情報を格納するために使用される。履歴情報の例は、プラント３内の搬送機器、位置検出機構、バルブなどの動作状態を時系列に並べた情報などである。履歴処理部１３は、プロセス情報を利用して履歴情報を作成し、履歴情報テーブル１０３内に格納することができる。
【００１１】
監視装置１は、プラント３の運転を操作するための運転操作信号Ｄ1を、制御ＬＡＮ４を介して制御装置２に送信する。運転操作信号Ｄ1の例は、プラント３内の機器の起動操作や運転操作に関する信号である。
【００１２】
制御装置２の伝送部２３は、運転操作信号Ｄ1を制御ＬＡＮ４を介して受信する。制御部２２は、運転操作信号Ｄ1に基づき、プラント３の運転を制御するためのロジック制御を行う。入出力部２１は、プラント３内の機器の駆動指令となるプラント制御信号Ｐ1をプラント３に出力する。その結果、入出力部２１には、プラント３の状態に関する信号であるプラント状態信号Ｐ2がプラント３から入力される。制御部２２は、プラント状態信号Ｐ2に基づき、プラント３内の機器やプロセス値の状態に関する信号である運転状態信号Ｄ2を生成する。伝送部２３は、運転状態信号Ｄ2を制御ＬＡＮ４を介して監視装置１に送信する。
【００１３】
監視装置１の伝送部１４は、運転状態信号Ｄ2を制御ＬＡＮ４を介して受信し、運転状態信号Ｄ2に基づき、プラント情報テーブル１０１内のプラント情報等を更新する。操作表示制御部１５は、プラント３の状態など、プラント３の運転状況の監視に必要な情報を操作表示部１１の画面に表示する。
【００１４】
また、トレンド処理部１２は、運転状態信号Ｄ2に基づき、トレンド情報テーブル１２内のトレンド情報を更新する。操作表示部１１においてトレンド情報の表示要求の操作が行われると、操作表示制御部１５は、トレンド情報テーブル１０２からトレンド情報を読み出し、操作表示部１１の画面に表示する。
【００１５】
また、履歴処理部１３は、運転状態信号Ｄ2に基づき、履歴情報テーブル１３内の履歴情報を更新する。操作表示部１１において履歴情報の表示要求の操作が行われると、操作表示制御部１５は、履歴情報テーブル１０３から履歴情報を読み出し、操作表示部１１の画面に表示する。
【００１６】
図６のプラント運転制御システムは、このような処理の流れにより、プラント３の運転制御を行っている。
【先行技術文献】
【特許文献】
【００１７】
【特許文献１】特開２００９−２８８０９３号公報
【発明の概要】
【発明が解決しようとする課題】
【００１８】
制御装置２は、所定のプラント情報に関し、監視装置１にプラント情報（運転状態信号Ｄ2）を通知するか否かを判定するための通知条件の情報を保持している。通知条件は、例えば「プラント３内のタンクの水位が１５００ｍｍに達したら、そのことを監視装置１に通知する」のように規定されている。通知条件の情報は例えば、制御装置２のストレージ内に保存されている、または制御装置２のプログラム内に設定されている。
【００１９】
通常の運転状態において、制御装置２の制御部２２は、プラント３内のプロセス値と通知条件とを比較し、通知条件の成立の有無を判定する比較判定処理を実施する。これにより、制御部２２は、「液位：高」や「圧力：低」等のインターロック信号や、警報判定結果の信号や、プラント３の運転員に次の運転準備を促すガイダンス信号などを生成する。
【００２０】
これらの信号は、運転状態信号Ｄ2として監視装置１に伝送され、操作表示制御部１５により処理され、操作表示部１１に表示される。プラント３の運転員は、この表示をもとにプラント３の運転操作を行うことができる。なお、図６のプラント運転制御システムにおいて、一人の運転員が複数の運転系統の運転操作を行う場合もある。
【００２１】
しかしながら、制御部２２によるプロセス値と通知条件との比較判定処理には、次のような問題がある。
【００２２】
第１に、通知条件は一般に、監視装置１や制御装置２の使用者（例えばプラント３の運転員）が改変できないような形で制御装置２内に保持されている。そのため、プロセス値の測定ポイントや、プロセス値と比較するための設定値や、プロセス値と設定値とを比較するための比較条件等の改変を運転員が希望しても、これらを運転員が改変することはできない。よって、運転員が必要な通知を得られないことが問題となる。
【００２３】
第２に、監視装置１や制御装置２の使用者（例えばプラント３の運転員）が測定ポイント、設定値、比較条件等を自由に設定可能な機能を、制御装置２に用意しておくことが考えられる。この場合、制御装置２のプログラムに、すでに決定された測定ポイントに関する変数に加えて、運転員が設定可能な測定ポイントに関する予備の変数を用意しておくことが考えられるが、用意可能な変数の個数や、設定可能な通知条件には制約がある。例えば、予備の変数が４個に制限され、かつ、「以上判定（≧による判定）を適用可能な測定ポイントは２個まで」「以下判定（≦による判定）を適用可能な測定ポイントは２個まで」のような制約が課されることが考えられる。よって、用意された変数の個数を超える測定ポイントの設定等を運転員が希望する場合、運転員が必要な通知を得られないことが問題となる。
【００２４】
運転員が必要な通知を得られないことは、プラント３の運転稼働率が低下する要因ともなっている。
【００２５】
また、制御装置２のストレージ内の情報や、制御装置２のプログラムの改変（改造）を行うことには、改変のための作業や手続きが煩雑であるという問題がある。さらに、原子力プラントのプラント運転制御システムに関しては、制御装置２の改造はセキュリティ上の観点から好ましくない場合も考えられ、制御装置２の改造以外の手法が求められる。
【００２６】
そこで、本発明は、プラント監視装置の使用者がプラントの状態の表示に関する設定を操作することが可能なプラント監視装置およびプラント監視方法を提供することを課題とする。
【課題を解決するための手段】
【００２７】
本発明の実施形態のプラント監視装置は、プラントの状態を表示し、前記プラントの運転を操作するための操作表示部と、前記プラントの状態の時間変動に関する情報であるトレンド情報を格納するためのトレンド情報テーブルと、前記プラントの状態の告知条件および告知内容に関する情報であり、前記操作表示部から入力される告知情報を設定するための告知情報設定テーブルと、前記トレンド情報テーブル内の前記トレンド情報と、前記告知情報設定テーブル内の前記告知条件とを比較し、前記告知条件の成立の有無を判定する判定部と、前記告知条件が成立していると判定された場合に、前記告知内容を前記操作表示部に表示する告知部と、を備える。
【００２８】
また、本発明の実施形態のプラント監視方法は、プラントの状態を表示し、前記プラントの運転を操作するための操作表示部と、前記プラントの状態の時間変動に関する情報であるトレンド情報を格納するためのトレンド情報テーブルと、前記プラントの状態の告知条件および告知内容に関する情報であり、前記操作表示部から入力される告知情報を設定するための告知情報設定テーブルと、を備えるプラント監視装置を用意し、前記プラント監視装置が、前記トレンド情報テーブル内の前記トレンド情報と、前記告知情報設定テーブル内の前記告知条件とを比較し、前記告知条件の成立の有無を判定し、前記プラント監視装置が、前記告知条件が成立していると判定された場合に、前記告知内容を前記操作表示部に表示する、ことを含む。
【発明の効果】
【００２９】
本発明によれば、プラント監視装置の使用者がプラントの状態の表示に関する設定を操作することが可能なプラント監視装置およびプラント監視方法を提供することができる。
【図面の簡単な説明】
【００３０】
【図１】第１実施形態のプラント運転制御システムの構成を示す概略図である。
【図２】第１実施形態の告知情報設定テーブルの構成例を示す図である。
【図３】第２実施形態のプラント運転制御システムの構成を示す概略図である。
【図４】第２実施形態の告知情報設定テーブルの構成例を示す図である。
【図５】第３実施形態のプラント運転制御システムの構成を示す概略図である。
【図６】一般的なプラント運転制御システムの構成を示す概略図である。
【発明を実施するための形態】
【００３１】
本発明の実施形態を、図面を参照して説明する。本明細書中で参照する図面において、同一または類似の構成には同一の符号を付しており、重複する説明は省略する。
【００３２】
（第１実施形態）
図１は、第１実施形態のプラント運転制御システムの構成を示す概略図である。
図１のプラント運転制御システムは、監視装置１と、制御装置２と、プラント３と、監視装置１および制御装置２を互いに接続する制御ＬＡＮ４とを備えている。なお、図１のプラント運転制御システムは、図６のプラント運転制御システムと同様に、複数の監視装置１と、複数の制御装置２と、複数のプラント３と、複数の監視装置１および複数の制御装置２を互いに接続する制御ＬＡＮ４とを備えていてもよい。
【００３３】
監視装置１は、操作表示部１１と、トレンド処理部１２と、履歴処理部１３と、伝送部１４と、操作表示制御部１５と、判定部１６と、告知部１７と、プラント情報テーブル１０１と、トレンド情報テーブル１０２と、履歴情報テーブル１０３と、告知情報設定テーブル１０４とを備えている。制御装置２は、入出力部２１と、制御部２２と、伝送部２３とを備えている。
【００３４】
告知情報設定テーブル１０４は、プラント３の状態の告知条件および告知内容に関する情報であり、操作表示部１１から入力される告知情報を設定するために使用される。操作表示部１１の使用者が操作表示部１１から告知情報を入力すると、告知情報設定テーブル１０４内に告知情報が設定される。操作表示部１１の使用者の例は、プラント３の運転員である。
【００３５】
図２は、第１実施形態の告知情報設定テーブル１０４の構成例を示す図である。
【００３６】
本実施形態の告知情報設定テーブル１０４は、項目Ａ1〜Ａ7の告知情報を格納可能である。項目Ａ1は、告知情報の識別番号を示す。項目Ａ2は、プラント３の状態に関する測定値（例えば、作動流体の圧力や流量などのプロセス値）の測定ポイントを示す。項目Ａ4は、測定値と比較するための設定値を示す。項目Ａ3は、測定値と設定値とを比較するための比較条件を示す。項目Ａ5は、操作表示部１１に表示するための告知メッセージの内容を示す。項目Ａ6は、告知音の有無の設定を示す。項目Ａ7は、告知音が有りの場合の告知音の種類の設定を示す。操作表示部１１の使用者は、操作表示部１１を使用してこれらの項目の内容を任意に設定することができる。
【００３７】
例えば、識別番号Ｎｏ１の告知情報は「測定ポイントＬ−１０ＡＡのプロセス値が１２５０まで上昇したら、『間もなく受入停止レベル到達。』という告知メッセージを表示すると共に、Ｎｏ２０の告知音を出力する」ことを意味している。なお、項目Ａ2〜Ａ4は告知条件の例であり、項目Ａ5は告知内容の例である。また、本実施形態の操作表示部１１は、項目Ａ6〜Ａ7に示すように、告知メッセージを表示すると共に、告知音を出力することができる。
【００３８】
なお、項目Ａ3は、「≧」「≦」以外の比較条件を設定可能としてもよい。例えば、項目Ａ3は、「＞」「＜」などの比較条件や、演算や関数を使用した複雑な比較条件を設定可能としてもよい。また、告知情報設定テーブル１０４の項目の種類は、項目Ａ1〜Ａ7に限定されるものではない。
【００３９】
以下、再び図１を参照し、第１実施形態のプラント運転制御システムの説明を続ける。  判定部１６は、トレンド情報テーブル１０２内のトレンド情報と、告知情報設定テーブル１０４内の告知条件とを比較し、告知条件の成立の有無を判定する。
【００４０】
例えば、告知情報設定テーブル１０４内に「測定ポイントＬ−１０ＡＡのタンクの水位が１５００ｍｍまで上昇したら、『間もなく受入停止レベル到達。』という告知メッセージを表示する」という告知情報が設定されている場合、判定部１６は、測定ポイントＬ−１０ＡＡのタンクの水位に関するトレンド情報と、この告知情報の告知条件とを比較する。具体的には、判定部１６は、トレンド情報の水位と告知条件の水位（１５００ｍｍ）とを比較する。そして、判定部１６は、トレンド情報の水位が１５００ｍｍ以上であれば、告知条件は成立していると判定し、トレンド情報の水位が１５００ｍｍ未満であれば、告知条件は成立していないと判定する。
【００４１】
告知部１７は、告知条件が成立していると判定部１６により判定された場合、この告知条件に対応する告知内容を操作表示部１１に表示する。一方、告知部１７は、告知条件が成立していないと判定部１６により判定された場合、この告知条件に対応する告知内容を操作表示部１１に表示しない。
【００４２】
例えば、上述の「測定ポイントＬ−１０ＡＡのタンクの水位が１５００ｍｍまで上昇した」という告知条件が成立していると判定された場合、告知部１７は、「間もなく受入停止レベル到達。」という告知メッセージを操作表示部１１に表示する。この際、告知音が有りと設定されている場合には、操作表示部１１は、この告知メッセージを表示すると共に、所定の告知音を出力する。
【００４３】
以上のように、本実施形態の監視装置１は、プラント３の状態の告知条件および告知内容に関する情報であり、操作表示部１１から入力される告知情報を設定するための告知情報設定テーブル１０４を備えている。さらに、本実施形態の監視装置１は、トレンド情報テーブル１０２内のトレンド情報と、告知情報設定テーブル１０４内の告知条件とを比較し、告知条件の成立の有無を判定する判定部１６と、告知条件が成立していると判定された場合に、告知内容を操作表示部１１に表示する告知部１７とを備えている。
【００４４】
よって、本実施形態によれば、制御装置２のロジック等を改造して制御装置２内の通知条件を改変せずに、監視装置１の使用者がプラント３の状態の表示に関する設定を操作できる構成を実現することができる。本実施形態によれば、制御装置２内の通知条件と同様の機能を、監視装置１内に設定可能な告知条件で実現することができる。よって、本実施形態によれば、プラント３の運転員が、自身が希望する必要な情報を容易に得ることができ、その結果、プラント３の運転稼働率の低下を抑止することが可能となる。
【００４５】
（第２実施形態）
図３は、第２実施形態のプラント運転制御システムの構成を示す概略図である。図３の監視装置１は、図１の監視装置１の構成要素に加えて、書込部１８を備えている。また、図３の告知情報設定テーブル１０４は、図４に示すような機能を有している。
【００４６】
図４は、第２実施形態の告知情報設定テーブル１０４の構成例を示す図である。
【００４７】
本実施形態の告知情報設定テーブル１０４は、項目Ａ1〜Ａ8の告知情報を格納可能である。項目Ａ1〜Ａ7は、第１実施形態と同様である。項目Ａ8は、判定部１６の判定結果に関する履歴の書き込みの可否の設定を示す。履歴の書き込みを可に設定する場合には、項目Ａ8に「可」と設定され、履歴の書き込みを不可に設定する場合には、項目Ａ8に「不可」と設定される。操作表示部１１の使用者は、操作表示部１１を使用してこれらの項目の内容を任意に設定することができる。
【００４８】
例えば、識別番号Ｎｏ１の告知情報においては、「測定ポイントＬ−１０ＡＡのプロセス値と１２５０との比較判定結果」に関する履歴の書き込みが「可」に設定されている。プロセス値が１２５０以上であれば、比較判定結果は「成立」となり、プロセス値が１２５０未満であれば、比較判定結果は「不成立」となる。例えば、時間ｔ1、ｔ2、ｔ3における比較判定結果がそれぞれ「不成立」「不成立」「成立」の場合には、「ｔ1：不成立」「ｔ2：不成立」「ｔ3：成立」のような履歴が書き込まれる。
【００４９】
以下、再び図３を参照し、第２実施形態のプラント運転制御システムの説明を続ける。  書込部１８は、ある識別番号の告知情報に関し、判定部１６の判定結果に関する履歴の書き込みが可に設定されている場合、この履歴を履歴情報テーブル１０３に書き込む。一方、書込部１８は、ある識別番号の告知情報に関し、判定部１６の判定結果に関する履歴の書き込みが不可に設定されている場合、この履歴を履歴情報テーブル１０３に書き込まない。
【００５０】
例えば、識別番号Ｎｏ１の「測定ポイントＬ−１０ＡＡのプロセス値が１２５０まで上昇した」という告知条件が成立していると判定された場合、告知部１７は、「間もなく受入停止レベル到達。」という告知メッセージを操作表示部１１に表示する。この際、書込部１８は、告知条件が成立か不成立かにかかわらず、「告知条件：成立」という履歴を履歴情報テーブル１０３に書き込む。
【００５１】
以上のように、本実施形態の監視装置１は、判定部１６の判定結果に関する履歴の書き込みの可否を設定可能な告知情報設定テーブル１０４を備えている。さらに、本実施形態の監視装置１は、告知情報設定テーブル１０４に履歴の書き込みが可に設定されている場合に、判定部１６の判定結果に関する履歴を履歴情報テーブル１０３に書き込む書込部１８を備えている。
【００５２】
よって、本実施形態によれば、監視装置１の使用者が、プラント３の状態の告知条件や告知内容を設定できるだけでなく、告知のための判定処理の履歴を保存するか否かを設定することができる。よって、本実施形態によれば、プラント３の運転員が、自身が希望する必要な情報を時系列的に得ることができ、その結果、プラント３の運転稼働率の低下をより一層抑止することが可能となる。
【００５３】
なお、本実施形態において、書込部１８が履歴情報テーブル１０３に履歴を書き込むフォーマットは、履歴情報テーブル１０３の管理のしやすさ等の観点から、履歴処理部１３が履歴情報テーブル１０３に履歴情報を書き込むフォーマットと同一に設定することが望ましい。
【００５４】
（第３実施形態）
図５は、第３実施形態のプラント運転制御システムの構成を示す概略図である。図５の監視装置１は、図１の監視装置１の構成要素に加えて、比較部１９を備えている。
【００５５】
本実施形態においては、操作表示部１１の使用者が告知情報設定テーブル１０４に告知情報を設定しようとすると、比較部１９が、この告知情報の設定前に比較処理を行う。
【００５６】
比較部１９は、プラント情報テーブル１０１に格納された通知条件と、告知情報設定テーブル１０４に設定予定の告知条件とを比較する。告知情報設定テーブル１０４に設定予定の告知条件とは、操作表示部１１の使用者が告知情報設定テーブル１０４に設定しようとしている告知情報の告知条件である。
【００５７】
制御装置２は、所定のプラント情報に関し、監視装置１にプラント情報（運転状態信号Ｄ2）を通知するか否かを判定するための通知条件の情報を保持している。通知条件は、例えば「プラント３内のタンクの水位が１５００ｍｍに達したら、そのことを監視装置１に通知する」のように規定されている。通知条件の情報は例えば、制御装置２のストレージ内に保存されている、または制御装置２のプログラム内に設定されている。プラント情報や通知条件の情報は、制御装置２から監視装置１に伝送され、プラント情報テーブル１０１内に格納される。
【００５８】
比較部１９は、設定予定の告知条件と同一の通知条件がプラント情報テーブル１０１に格納されていない場合には、設定予定の告知条件を含む告知情報を告知情報設定テーブル１０４に設定する。
【００５９】
一方、比較部１９は、設定予定の告知条件と同一の通知条件がプラント情報テーブル１０１に格納されている場合には、設定予定の告知条件を含む告知情報を告知情報設定テーブル１０４に設定しない。さらに、比較部１９は、設定予定の告知条件と同一の前記通知条件がプラント情報テーブル１０１に格納されている場合には、設定予定の告知条件と同一の通知条件が存在することを操作表示部１１に表示する。
【００６０】
例えば、操作表示部１１の使用者が「測定ポイントＬ−１０ＡＡのタンクの水位が１５００ｍｍまで上昇したら、『間もなく受入停止レベル到達。』という告知メッセージを表示する」という告知情報を設定しようとすると、比較部１９は、この告知情報の設定前に比較処理を行う。具体的には、比較部１９は、「測定ポイントＬ−１０ＡＡのタンクの水位が１５００ｍｍまで上昇した」という告知条件と同一の通知条件が、プラント情報テーブル１０１に格納されているか否かを判定する。告知条件と通知条件とが同一か否かは、例えば、告知条件の測定ポイント（項目Ａ2）、設定値（項目Ａ4）、および比較条件（項目Ａ3）と、通知条件の測定ポイント、設定値、および比較条件とが同一か否かを判定することにより判定可能である。
【００６１】
比較部１９は、設定予定の告知条件と同一の通知条件がプラント情報テーブル１０１に格納されている場合、設定予定の告知条件を告知情報設定テーブル１０４に設定せず、操作表示部１１に例えば「この告知条件は、制御装置２内の通知条件と重複しているため、設定できません。」と表示する。
【００６２】
以上のように、本実施形態の監視装置１は、プラント情報テーブル１０１に格納された通知条件と、告知情報設定テーブル１０４に設定予定の告知条件とを比較する比較部１９を備えている。
【００６３】
よって、本実施形態によれば、通知条件と同一の告知条件が告知情報設定テーブル１０４に設定されることを回避することができる。通知条件と同一の告知条件が告知情報設定テーブル１０４に設定されると、制御装置２からの通知と重複する内容の告知が操作表示部１１に表示されることとなり、操作表示部１１の使用者が混乱するおそれがある。本実施形態の比較部１９によれば、通知条件と同一の告知条件の重複登録を回避することができ、また、重複の事実や重複登録の回避を使用者に通知することができる。
【００６４】
なお、比較部１９は、設定予定の告知条件と同一の通知条件が存在することを操作表示部１１に表示する際に、この告知条件の設定を希望するか否かの操作画像（操作ボタンやダイアログ画面など）を操作表示部１１に表示してもよい。そして、操作表示部１１の使用者が、この告知条件の設定を希望することを操作画像により入力した場合、比較部１９は、この告知条件を告知情報設定テーブル１０４に設定するようにしてもよい。これにより、本実施形態によれば、通知条件と告知条件との重複を使用者が許容する場合には、通知条件と重複する告知条件を登録することが可能となる。これは例えば、独自の告知メッセージの設定を使用者が希望している場合等に有用である。
【００６５】
以上、いくつかの実施形態を説明したが、これらの実施形態は、例としてのみ提示したものであり、発明の範囲を限定することを意図したものではない。本明細書で説明した新規な装置および方法は、その他の様々な形態で実施することができる。また、本明細書で説明した装置および方法の形態に対し、発明の要旨を逸脱しない範囲内で、種々の省略、置換、変更を行うことができる。添付の特許請求の範囲およびこれに均等な範囲は、発明の範囲や要旨に含まれるこのような形態や変形例を含むように意図されている。
【符号の説明】
【００６６】
１：監視装置、２：制御装置、３：プラント、４：制御ＬＡＮ、
１１：操作表示部、１２：トレンド処理部、１３：履歴処理部、
１４：伝送部、１５：操作表示制御部、１６：判定部、
１７：告知部、１８：書込部、１９：比較部、
２１：入出力部、２２：制御部、２３：伝送部、
１０１：プラント情報テーブル、１０２：トレンド情報テーブル、
１０３：履歴情報テーブル、１０４：告知情報設定テーブル
【図１】
2015125581.tif 000003
【図２】
2015125581.tif 000004
【図３】
2015125581.tif 000005
【図４】
2015125581.tif 000006
【図５】
2015125581.tif 000007
【図６】
2015125581.tif 000008